(57)【要約】      （修正有）【課題】組み立てや分解が簡単であり、作業者が一人で済むことや、土のう袋を土のう袋製作補助器から取り出す作業を容易に行うことを可能とする土のう袋製作補助器を提供する。【解決手段】土のう袋製作補助器１は、フレーム枠２は、左右の脚４，８を有する倒コ字状のフレーム３の一方の脚８と、左右の脚１６，１７を有する倒コ字状の一対のフレーム１５の一方の脚１６とを回転可能に連結してなり、フレーム枠２０は、左右の脚２２，２６を有する倒コ字状の一対のフレーム２１の一方の脚２６と、左右の脚３６，３７を有する倒コ字状の一対のフレーム３５の一方の脚３６とを回転可能に連結してなり、フレーム枠２，２０間で、フレーム３の他方の脚４とフレーム３５の他方の脚３７とを、フレーム１５の他方の脚１７とフレーム２１の他方の脚２２とを、それぞれ回転不能に連結する。【選択図】図２
0003186942.tif 000002
【実用新案登録請求の範囲】
【請求項１】
一対のフレーム枠同士を組み合わせて水平な開口部を形成し、当該開口部に、土のう袋の開口を係止可能とした土のう袋製作補助器であって、
各前記フレーム枠は、左右の脚を有する倒コ字状の一対のフレームの一方の脚同士を回転可能に連結してなり、前記一対のフレーム枠間で前記フレームの他方の脚同士を回転不能に連結することで、前記開口部を形成可能としたことを特徴とする土のう袋製作補助器。
【請求項２】
前記一対のフレームの一方の脚同士は、一方のフレームの脚に設けた筒状のガイドに他方のフレームの脚を差し込むことで行われることを特徴とする請求項１に記載の土のう袋製作補助器。
【請求項３】
前記フレーム枠間での前記フレームの他方の脚同士の連結は、一方のフレームの脚に設けた孔付きのプレートを、他方のフレームの脚に設けた孔付きのプレートの当該孔に差し込んで係合ピンで抜け止めをすることで行われることを特徴とする請求項１又は２に記載の土のう袋製作補助器。
【考案の詳細な説明】
【技術分野】
【０００１】
本考案は、土のう袋の製作を補助する土のう袋製作補助器に関するものである。
【背景技術】
【０００２】
従来から土のう袋の製作については、作業者の一人が袋の口を開口した状態で保持する一方、他の作業者がシャベル等ですくい上げた土を投入していたが、この場合では、少なくとも二人以上の作業者が必要であり、作業には時間もかかることから、手間がかかり、作業効率が非常に悪く不便であるという問題点があった。
これに対し、土のう袋の口を開口した状態で保持し、作業者が一人で済む土のう袋保持具が知られている（特許文献１参照）。
【先行技術文献】
【特許文献】
【０００３】
【特許文献１】実用新案登録第３０４２６６８号公報
【考案の概要】
【考案が解決しようとする課題】
【０００４】
しかしながら、引用文献１のような土のう袋保持具では、作業者が一人で済むものの、保持具の組み立てや分解には手間がかかることや、土を投入して土のう袋の製作が完成した後に、保持具から土のう袋を取り外す際には、その都度上枠を反転させる必要があり、作業効率が悪く非常に不便であった。また、土のう袋に土を投入する際には、投入する土の量を管理することが困難であった。他にも、保持具を土のう袋の各種サイズに適応することが困難であった。
【０００５】
そこで、本考案は、上記従来の問題点を解消し、組み立てや分解が簡単であり、作業者が一人で済むことや、土のう袋を土のう袋製作補助器から取り出す作業を容易に行うことを可能とする土のう袋製作補助器を提供することにある。
【課題を解決するための手段】
【０００６】
上記目的を達成するために、請求項１に記載の考案の構成は、一対のフレーム枠同士を組み合わせて水平な開口部を形成し、当該開口部に、土のう袋の開口を係止可能とした土のう袋製作補助器であって、
各前記フレーム枠は、左右の脚を有する倒コ字状の一対のフレームの一方の脚同士を回転可能に連結してなり、前記一対のフレーム枠間で前記フレームの他方の脚同士を回転不能に連結することで、前記開口部を形成可能としたことにある。
【０００７】
請求項２に記載の考案の構成は、請求項１に記載の考案に加え、前記一対のフレームの一方の脚同士は、一方のフレームの脚に設けた筒状のガイドに他方のフレームの脚を差し込むことで行われることにある。
【０００８】
請求項３に記載の考案の構成は、請求項１又は２に記載の考案に加え、前記フレーム枠間での前記フレームの他方の脚同士の連結は、一方のフレームの脚に設けた孔付きのプレートを、他方のフレームの脚に設けた孔付きのプレートの当該孔に差し込んで係合ピンで抜け止めをすることで行われることにある。
【考案の効果】
【０００９】
本考案によれば、作業者が一人で済むことや、補助器の組み立てや分解が簡単であり、短時間で済むことから、土のう袋を土のう袋製作補助器から取り外す作業が容易である。
【図面の簡単な説明】
【００１０】
【図１】土のう袋製作補助器を示す説明図である。
【図２】フレーム枠の構造を示す説明図である。
【図３】土のう袋製作補助器の組み立て手順を示す説明図である。
【図４】土のう用袋を土のう袋製作補助器に係止した状態を示す説明図である。
【考案を実施するための形態】
【００１１】
以下、本考案の実施の形態を図面に基づいて説明する。
【００１２】
図１に示すように、土のう袋製作補助器１は、フレーム枠２とフレーム枠２０とを組み合わせたものである。このうち、フレーム枠２はフレーム３とフレーム１５とで構成し、フレーム枠２０はフレーム２１とフレーム３５とで構成する。
【００１３】
次に、図２に示すように、フレーム３は、左右の脚４と脚８とを連設して倒コ字状に形成したもので、脚４の軸部分には、上下方向の孔６が穿設されたプレート５が設けられるとともに、先端には板状のベース７が取り付けられている。一方、脚８の先端には、板状のベース１２が取り付けられている。これらにより、フレーム３は起立可能としている。
また、脚８の軸部分には、孔１０の穿設された筒状のガイド９と、同じく筒状のガイド１１とが同軸線上に設けられており、後述するフレーム１５の脚１６を挿入することで、フレーム３に対してフレーム１５を回動可能とする構造である。
【００１４】
一方、フレーム１５も、左右の脚１６と脚１７とを連設して倒コ字状に形成したもので、脚１６には、ガイド９の孔１０と同じ高さに図示しない孔が穿設される一方、軸１７には、長孔１９の穿設されたプレート１８が設けられている。
【００１５】
また、フレーム２１は、左右の脚２２と脚２６とを連設して倒コ字状に形成したもので、脚２２の軸部分には、上下方向の孔２４が穿設されたプレート２３が設けられるとともに、先端には板状のベース２５が取り付けられている。一方、脚２６の先端には、板状のベース３０が取り付けられている。これらにより、フレーム２１は起立可能としている。
また、脚２６の軸部分には、孔２８の穿設された筒状のガイド２７と、同じく筒状のガイド２９とが同軸線上に設けられており、後述するフレーム３５の脚３６を挿入することで、フレーム２１に対してフレーム３５を回動可能とする構造である。
【００１６】
一方、フレーム３５も、左右の脚３６と脚３７とを連設して倒コ字状に形成したもので、脚３６には、ガイド２７の孔２８と同じ高さに図示しない孔が穿設される一方、脚３７には、長孔３９の穿設されたプレート３８が設けられている。
【００１７】
次に、土のう袋製作補助器１の組み立て手順について詳細に説明する。
先ず初めに、図３（ａ）に示すように、フレーム３のガイド９からガイド１１の順にフレーム１５の脚１６を挿入する。そして、図３（ｂ）に示すように、フレーム１５を矢印の方向に回転させて、ガイド９に設けられた孔１０と、フレーム１６の図示しない孔とが一致した状態で固定ピン５２を挿入すると、図３（ｃ）に示すように、平面視Ｌ字状のフレーム枠２が組み立てられる。
一方、フレーム枠２０についても同様に、フレーム２１のガイド２７からガイド２９の順にフレーム３５の脚３６を挿入する。そして、フレーム３５を回転させて、ガイド２７に設けられた孔２８と、フレーム３６の図示しない孔とが一致した状態で固定ピン５０を挿入すると、平面視Ｌ字状のフレーム枠２０が組み立てられる。
【００１８】
そして、図２に示すプレート５を、プレート３８の長孔３９に孔６がプレート３８の反対側に突出する位置まで挿入した後、図１に示すように、係合ピン５１を孔６に挿入して抜け止めをする。また、プレート２３も同様に、プレート１８の孔１９にプレート２３の孔２４がプレート１８の反対側に突出する位置まで挿入した後、係合ピン５３を孔２４に挿入して抜け止めをする。
これにより、プレート５とプレート３８との係合と、プレート２３とプレート１８との係合とがそれぞれ行われることで、フレーム枠２とフレーム枠２０とが一体に構成されることとなり、土のう袋製作補助器１の組み立てが完成する。
【００１９】
このようにして土のう袋製作補助器１を組み立てた後、図１に示すように、フレーム３，１５，２１，３５で構成する水平な開口部４２内に土のう用袋４０を設置し、図４に示すように、土のう用袋４０の口４１を開口部４２の位置で折り返すことで、土のう用袋４０の口４１を開口した状態で所定の高さに係止することとなる。
そして、この口４１に土を投入することにより、袋内の土が所定量となった後、口４１を開口部４２から取り外すことで、土のう袋の製作が完成する。
【００２０】
次に、土のう袋を、土のう袋製作補助器１から取り外す手順について詳細に説明する。
先ず初めに、土のう袋製作補助器１による土のう袋の製作が完成した後、係合ピン５１を孔２３から、係合ピン５３を孔６から引き抜く。これにより、それぞれの係合が解除され、フレーム枠２からフレーム枠２０を分離することが可能となる。
そして、図２に示す位置までフレーム枠２又はフレーム枠２０の一方又は両方を移動させた後、土のう用袋４０を、フレーム枠２とフレーム枠２０との間に載置した状態から移動させることで、土のう袋を、土のう袋製作補助器１から取り外す作業が完了することとなる。
【００２１】
また、引き続き新たに土のう袋の製作を行う場合、この状態では、図２に示すように、フレーム枠２とフレーム枠２０とは既に組み立てられていることから、フレーム枠２とフレーム枠２０とを一体に構成して土のう袋製作補助器１の組み立てを完成させれば良い。
その後、開口部４２に土のう用袋４０を係止し、上述のように土を投入する作業を行うことで、新たな土のう袋の製作が完成することとなる。
【００２２】
上記の如く、土のう袋製作補助器１は、フレーム枠２は、左右の脚４，８を有する倒コ字状のフレーム３の一方の脚８と、左右の脚１６，１７を有する倒コ字状の一対のフレーム１５の一方の脚１６とを回転可能に連結してなり、フレーム枠２０は、左右の脚２２，２６を有する倒コ字状の一対のフレーム２１の一方の脚２６と、左右の脚３６，３７を有する倒コ字状の一対のフレーム３５の一方の脚３６とを回転可能に連結してなり、フレーム枠２，２０間で、フレーム３の他方の脚４とフレーム３５の他方の脚３７とを、フレーム１５の他方の脚１７とフレーム２１の他方の脚２２とを、それぞれ回転不能に連結することで、開口部４２を形成可能としたことにより、作業者が一人で済むことや、補助器の組み立てや分解が簡単であり、短時間で済むことから、土のう袋を土のう袋製作補助器１から取り外す作業が容易である。
【００２３】
また、一対のフレームの一方の脚同士の連結は、フレーム３の脚８に設けた筒状のガイド９，１１にフレーム１５の脚１６を差し込むことと、フレーム２１の脚２６に設けた筒状のガイド２７，２９にフレーム３５の脚３６を差し込むこととで行われることにより、作業者が一人で済むことや、補助器の組み立てや分解が簡単であり、短時間で済むことから、土のう袋を土のう袋製作補助器１から取り外す作業が容易である。
【００２４】
他にも、フレーム枠間でのフレームの他方の脚同士の連結は、フレーム３の脚４に設けた孔６付きのプレート５を、フレーム３５の脚３７に設けた孔３９付きのプレート３８のこの孔３９に差し込んで係合ピン５１で抜け止めをすることと、フレーム２１の脚２２に設けた孔２４付きのプレート２３を、フレーム１５の脚１７に設けた孔１９付きのプレート１８のこの孔１９に差し込んで係合ピン５３で抜け止めをすることとで行われることにより、作業者が一人で済むことや、補助器の組み立てや分解が簡単であり、短時間で済むことから、土のう袋を土のう袋製作補助器１から取り外す作業が容易である。
【００２５】
なお、本考案の土のう袋製作補助器１の構成は、上記実施形態の態様に何ら限定されるものではなく、フレームの材質や形状等の構成を、本考案の趣旨を逸脱しない範囲で必要に応じて適宜変更することができる。
【００２６】
例えば、フレームは、中空のパイプを使用しても良く、適宜変更可能である。この場合、パイプを折り曲げ形成することや、エルボ等の接続部材に接続することで倒コ字状に形成しても良い。
【００２７】
また、脚に目盛りを設けても良く、適宜変更可能である。これにより、土のう用袋４０に投入した土の量を管理することが容易である。
【００２８】
他にも、フレームや脚に伸縮機構を備えても良く、適宜変更可能である。これにより、土のう用袋４０の各種サイズに適合させることが可能である。この場合、径の異なるパイプを用いて、大きい外径のパイプの中を外径の小さいパイプが移動して伸縮する機構や、土のう用袋の各種サイズに合わせた好適な長さの棒材を選択して連結する機構としても良い。
【符号の説明】
【００２９】
１・・土のう袋製作補助器、２・・フレーム枠、３・・フレーム、４・・脚、５・・プレート、６・・孔、７・・ベース、８・・脚、９・・ガイド、１０・・孔、１１・・ガイド、１２・・ベース、１５・・フレーム、１６・・脚、１７・・脚、１８・・プレート、１９・・長孔、２０・・フレーム枠、２１・・フレーム、２２・・脚、２３・・プレート、２４・・孔、２５・・ベース、２６・・脚、２７・・ガイド、２８・・孔、２９・・ガイド、３０・・ベース、３５・・フレーム、３６・・脚、３７・・脚、３８・・プレート、３９・・長孔、４０・・土のう用袋、４１・・口（土のう用袋）、４２・・開口部、５０・・固定ピン、５１・・係合ピン、５２・・固定ピン、５３・・係合ピン。
【図１】
0003186942.tif 000003
【図２】
0003186942.tif 000004
【図３】
0003186942.tif 000005
【図４】
0003186942.tif 000006